(57)【要約】【課題】室内のレイアウト変更に応じて天井のレイアウトが変更される場合であっても、天井裏に配線を容易に敷設することができる配線ダクトを提供する。【解決手段】配線ダクト３は、ダクト本体３０と、ダクト本体３０に収納される複数の配線７とを備え、室内の上方に設けられて天井５に敷設される。ダクト本体３０は、ダクト本体３０を吊り下げるための吊具に取り付けられることによって天井５の上方に設けられる吊具取付部３０ａと、吊具取付部３０ａに接続されて天井５の下方に設けられるとともに、天井５の下方の空間に向けて開口するダクト部３０ｃとを備え、ダクト部３０ｃの内部及び吊具取付部３０ａの内部に配線７が収納されている。【選択図】図２
2010206879.tif 000002
【特許請求の範囲】
【請求項１】
ダクト本体と、前記ダクト本体に収納される複数の配線とを備え、室内の上方に設けられて天井に敷設される配線ダクトであって、
前記ダクト本体は、
前記ダクト本体を吊り下げるための吊具に取り付けられることによって前記天井の上方に設けられる吊具取付部と、
前記吊具取付部に接続されて前記天井の下方に設けられるとともに、前記天井の下方の空間に向けて開口するダクト部とを備え、
前記ダクト部の内部及び前記吊具取付部の内部に前記配線が収納されている
ことを特徴とする配線ダクト。
【請求項２】
前記配線として、電力を伝送する電力線と信号を伝送する信号線とを備え、
前記ダクト部の内部には、前記電力線が収納されていることを特徴とする請求項１に記載の配線ダクト。
【請求項３】
前記吊具取付部の内部には、前記信号線が収納されていることを特徴とする請求項２に記載の配線ダクト。
【請求項４】
前記配線として、電力を伝送する電力線と信号を伝送する信号線とを備え、
前記ダクト部の内部には、前記信号線が収納されていることを特徴とする請求項１に記載の配線ダクト。
【請求項５】
前記吊具取付部の内部には、前記電力線が収納されていることを特徴とする請求項４に記載の配線ダクト。
【請求項６】
前記配線として、電力を伝送する電力線と信号を伝送する信号線とを備え、
前記ダクト本体は、前記ダクト部として、前記ダクト部を形成するコア材により区切られた第１及び第２の配線収納部を備え、前記第１の配線収納部の内部に前記電力線が収納され、前記第２の配線収納部の内部に前記信号線が収納されていることを特徴とする請求項１に記載の配線ダクト。
【請求項７】
前記配線として、電力を伝送する他の電力線と、信号を伝送する他の信号線とをさらに備え、前記ダクト本体は、前記吊具取付部として、前記吊具取付部を形成するコア材により区切られた第３及び第４の配線収納部を備え、前記第３の配線収納部の内部に前記他の電力線が収納され、前記第４の配線収納部の内部に前記他の信号線が収納されていることを特徴とする請求項６に記載の配線ダクト。
【請求項８】
前記吊具取付部には、前記ダクト本体の長手方向に沿って開口が形成されていることを特徴とする請求項１乃至請求項７のいずれか一項に記載の配線ダクト。
【請求項９】
前記吊具取付部に形成された前記開口は、上方以外の方向へ向けて開口していることを特徴とする請求項８に記載の配線ダクト。
【請求項１０】
前記天井の下方の空間に向けて開口する前記ダクト部は、側方に向けて開口していることを特徴とする請求項１乃至請求項９のいずれか一項に記載の配線ダクト。
【請求項１１】
前記天井の下方の空間に向けて開口する前記ダクト部の上部には、前記ダクト本体の長手方向に沿って開口が形成されていることを特徴とする請求項１乃至請求項１０のいずれか一項に記載の配線ダクト。
【請求項１２】
前記ダクト本体を形成するコア材が接地されていることを特徴とする請求項１乃至請求項１１のいずれか一項に記載の配線ダクト。
【請求項１３】
前記ダクト部によりシステム天井を構成する前記天井が支持されていることを特徴とする請求項１乃至請求項１２のいずれか一項に記載の配線ダクト。
【発明の詳細な説明】
【技術分野】
【０００１】
本発明は、ダクト本体と、ダクト本体に収納される複数の配線とを備え、室内の上方に設けられて天井に敷設される配線ダクトに関する。
【背景技術】
【０００２】
一般に、オフィス等の室内において、配線ダクトを室内の上方に設けて天井に敷設することが知られている（例えば、特許文献１参照）。配線ダクトは、天井の下方に設けられるとともにダクト部を有するダクト本体と、ダクト本体に収納される配線とを備えており、ダクト部は天井の下方の空間に向けて開口し、ダクト部の内部には配線が収納されている。このような配線ダクトを用いることにより、照明器具等の機器を、ダクト部の開口における所望の位置で配線と接続することができる。
【０００３】
また、室内のレイアウト変更に応じてレイアウトを変更することができる構成の天井として、システム天井が知られている（例えば、特許文献２参照）。一般に、システム天井は、吊具により吊り下げられたメインバー、メインバーに接続されるクロスバー、メインバー及びクロスバーにより支持される天井部材により構成されている。システム天井の室内において配線ダクトを敷設する方法としては、例えば、配線ダクトを天井にねじ止めすることにより配線ダクトを天井に敷設する方法が挙げられる。
【先行技術文献】
【特許文献】
【０００４】
【特許文献１】特開２００３−３３３７２７号公報
【特許文献２】特開２００８−１６３６３５号公報
【発明の概要】
【発明が解決しようとする課題】
【０００５】
ところで、室内に設けられた機器と接続される配線は、ダクト本体のダクト部に設けられるが、室内に設けられた機器と接続されない配線については、ダクト部に収納する必要はない。従って、室内に設けられた機器と接続されない配線は、天井の上方の空間である天井裏に敷設することが好ましい。
【０００６】
しかしながら、システム天井の天井裏において、ダクト部に収納せずに配線を敷設したときに、室内のレイアウト変更に応じて天井のレイアウトが変更される場合には、天井のレイアウト変更作業とは別に、天井裏に敷設した配線のレイアウト変更作業を要していた。即ち、室内のレイアウト変更に応じて天井のレイアウトが変更される場合に、天井裏に配線を敷設することが煩雑であるという問題があった。
【０００７】
本発明は、こうした実情に鑑みてなされたものであり、その目的は、室内のレイアウト変更に応じて天井のレイアウトが変更される場合であっても、天井裏に配線を容易に敷設することができる配線ダクトを提供することにある。
【課題を解決するための手段】
【０００８】
請求項１に記載の発明は、ダクト本体と、ダクト本体に収納される複数の配線とを備え、室内の上方に設けられて天井に敷設される配線ダクトであって、ダクト本体は、ダクト本体を吊り下げるための吊具に取り付けられることによって天井の上方に設けられる吊具取付部と、吊具取付部に接続されて天井の下方に設けられるとともに、天井の下方の空間に向けて開口するダクト部とを備え、ダクト部の内部及び吊具取付部の内部に配線が収納されていることを特徴とする。
【０００９】
同構成によれば、天井の下方に設けられるとともに、天井の下方の空間に向けて開口するダクト部の内部に、配線が収納されている。このため、例えば、ダクト部の内部に収納される配線が電力線である場合は、天井の下方の空間である室内に設けられた電気器具を、ダクト部の開口における所望の位置で電力線と接続することが可能となる。また、ダクト本体を吊り下げるための吊具に取り付けられることによって天井の上方に設けられる吊具取付部の内部にも、配線が収納されている。このため、例えば、吊具取付部の内部に収納される配線が信号線である場合は、ダクト本体を吊り下げるための吊具に吊具取付部が取り付けられることにより、天井の上方の空間である天井裏において信号線を敷設することが可能となる。従って、ダクト本体を吊り下げて配線ダクトを室内の上方に敷設することによって、天井の下方だけでなく天井裏においても配線を敷設することができる。その結果、室内のレイアウト変更に応じて天井のレイアウトが変更される場合であっても、天井裏に配線を容易に敷設することができる。
【００１０】
請求項２に記載の発明は、請求項１に記載の配線ダクトにおいて、配線として、電力を伝送する電力線と信号を伝送する信号線とを備え、ダクト部の内部には、電力線が収納されていることを特徴とする。
【００１１】
同構成によれば、天井の下方に設けられるとともに、天井の下方の空間に向けて開口するダクト部の内部に、電力線が収納されている。このため、例えば、天井の下方の空間である室内に設けられた電気器具を、ダクト部の開口における所望の位置で電力線と接続することができる。
【００１２】
請求項３に記載の発明は、請求項２に記載の配線ダクトにおいて、吊具取付部の内部には、信号線が収納されていることを特徴とする。
同構成によれば、天井の上方に設けられる吊具取付部の内部に、信号線が収納されている。このため、ダクト本体を吊り下げるための吊具に吊具取付部が取り付けられることにより、天井の上方の空間である天井裏において信号線を敷設することができる。
【００１３】
請求項４に記載の発明は、請求項１に記載の配線ダクトにおいて、配線として、電力を伝送する電力線と信号を伝送する信号線とを備え、ダクト部の内部には、信号線が収納されていることを特徴とする。
【００１４】
同構成によれば、天井の下方に設けられるとともに、天井の下方の空間に向けて開口するダクト部の内部に、信号線が収納されている。このため、例えば、天井の下方の空間である室内に設けられた通信機器を、ダクト部の開口における所望の位置で信号線と接続することができる。
【００１５】
請求項５に記載の発明は、請求項４に記載の配線ダクトにおいて、吊具取付部の内部には、電力線が収納されていることを特徴とする。
同構成によれば、天井の上方に設けられる吊具取付部の内部に、電力線が収納されている。このため、ダクト本体を吊り下げるための吊具に吊具取付部が取り付けられることにより、天井の上方の空間である天井裏において電力線を敷設することができる。
【００１６】
請求項６に記載の発明は、請求項１に記載の配線ダクトにおいて、配線として、電力を伝送する電力線と信号を伝送する信号線とを備え、ダクト本体は、ダクト部として、ダクト部を形成するコア材により区切られた第１及び第２の配線収納部を備え、第１の配線収納部の内部に電力線が収納され、第２の配線収納部の内部に信号線が収納されていることを特徴とする。
【００１７】
同構成によれば、ダクト本体は、天井の下方に設けられるとともに、天井の下方の空間に向けて開口するダクト部として、第１及び第２の配線収納部を備えている。そして、天井の下方に設けられ、天井の下方の空間に向けて開口する第１の配線収納部の内部には、電力線が収納されている。このため、例えば、天井の下方の空間である室内に設けられた電気器具を、第１の配線収納部の開口における所望の位置で電力線と接続することができる。また、天井の下方に設けられ、天井の下方の空間に向けて開口する第２の配線収納部の内部には、信号線が収納されている。このため、例えば、天井の下方の空間である室内に設けられた通信機器を、第２の配線収納部の開口における所望の位置で信号線と接続することができる。さらに、電力線が収納される第１の配線収納部と、信号線が収納される第２の配線収納部は、ダクト部を形成するコア材により区切られているため、電力線及び信号線が互いに電磁的に影響することを抑制することができる。
【００１８】
請求項７に記載の発明は、請求項６に記載の配線ダクトにおいて、配線として、電力を伝送する他の電力線と、信号を伝送する他の信号線とをさらに備え、ダクト本体は、吊具取付部として、吊具取付部を形成するコア材により区切られた第３及び第４の配線収納部を備え、第３の配線収納部の内部に他の電力線が収納され、第４の配線収納部の内部に他の信号線が収納されていることを特徴とする。
【００１９】
同構成によれば、ダクト本体は、天井の上方に設けられる吊具取付部として、第３及び第４の配線収納部を備えている。そして、天井の上方に設けられる第３の配線収納部の内部には、他の電力線が収納されている。このため、ダクト本体を吊り下げるための吊具に吊具取付部が取り付けられることにより、天井の上方の空間である天井裏において他の電力線を敷設することができる。また、天井の上方に設けられる第４の配線収納部の内部には、他の信号線が収納されている。このため、ダクト本体を吊り下げるための吊具に吊具取付部が取り付けられることにより、天井の上方の空間である天井裏において他の信号線を敷設することができる。さらに、他の電力線が収納される第３の配線収納部と、他の信号線が収納される第４の配線収納部は、吊具取付部を形成するコア材により区切られているため、他の電力線及び他の信号線が互いに電磁的に影響することを抑制することができる。
【００２０】
請求項８に記載の発明は、請求項１乃至請求項７のいずれか一項に記載の配線ダクトにおいて、吊具取付部には、ダクト本体の長手方向に沿って開口が形成されていることを特徴とする。
【００２１】
同構成によれば、吊具取付部には、ダクト本体の長手方向に沿った開口が形成されている。このため、例えば、吊具取付部に配線として電力線が収納されている場合には、天井の近傍に設けられる空気調和機等の機器を、天井の上方の空間である天井裏で、吊具取付部の開口において電力線と接続することが可能となる。また、例えば、吊具取付部に配線として信号線が収納されている場合には、天井の近傍に設けられる火災報知器等の通信機器を、天井の上方の空間である天井裏で、吊具取付部の開口において信号線と接続することが可能となる。
【００２２】
請求項９に記載の発明は、請求項８に記載の配線ダクトにおいて、吊具取付部に形成された開口は、上方以外の方向へ向けて開口していることを特徴とする。
同構成によれば、吊具取付部に形成された前記開口は、上方以外の方向へ向けて開口しているため、天井の上方に設けられる吊具取付部の内部に、埃が入りにくいようにすることができる。従って、吊具取付部の内部に埃が溜まりにくいようにすることができる。
【００２３】
請求項１０に記載の発明は、請求項１乃至請求項９のいずれか一項に記載の配線ダクトにおいて、天井の下方の空間に向けて開口する前記ダクト部は、側方に向けて開口していることを特徴とする。
【００２４】
同構成によれば、天井の下方の空間に向けて開口するダクト部は、側方に向けて開口している。このため、例えば、配線ダクトが壁際に設けられる場合であっても、照明器具等の電気器具を、ダクト部に直接取り付けることができる。即ち、ダクト部が下方に向けて開口している場合において壁と接触することによりダクト部に直接取り付けることができない機器を、ダクト部に直接取り付けることができる。
【００２５】
請求項１１に記載の発明は、請求項１乃至請求項１０のいずれか一項に記載の配線ダクトにおいて、天井の下方の空間に向けて開口するダクト部の上部には、ダクト本体の長手方向に沿って開口が形成されていることを特徴とする。
【００２６】
同構成によれば、ダクト部の上部には、ダクト本体の長手方向に沿って開口が形成されている。このため、天井の上方の空間である天井裏から電気器具や通信機器等の機器を、ダクト部の内部に収納された配線に容易に接続することが可能となる。
【００２７】
請求項１２に記載の発明は、請求項１乃至請求項１１のいずれか一項に記載の配線ダクトにおいて、ダクト本体を形成するコア材が接地されていることを特徴とする。
同構成によれば、ダクト本体を形成するコア材が接地されているため、コア材が接地されていない場合に比べて、ダクト本体に収納される複数の配線が互いに電磁的に影響することを抑制することができる。
【００２８】
請求項１３に記載の発明は、請求項１乃至請求項１２のいずれか一項に記載の配線ダクトにおいて、ダクト部によりシステム天井を構成する前記天井が支持されていることを特徴とする。
【００２９】
同構成によれば、ダクト部によりシステム天井を構成する天井が支持されているため、本発明の配線ダクトを、天井を支持する天井支持部材として用いることができる。その結果、システム天井に調和した配線ダクトを構成することが可能となる。
【発明の効果】
【００３０】
本発明によれば、室内のレイアウト変更に応じて天井のレイアウトが変更される場合であっても、天井裏に配線を容易に敷設することができる。
【図面の簡単な説明】
【００３１】
【図１】（ａ）（ｂ）本発明の実施形態に係る天井システムの概略構成を示す図。
【図２】第１の実施形態に係る配線ダクトの断面を示す断面図。
【図３】同実施形態に係る配線ダクトを示す斜視図。
【図４】同実施形態における配線システムの概略構成を示す図。
【図５】配線ダクト内の電力線に電気器具が接続された状態を示す図。
【図６】第２の実施形態における配線システムの概略構成を示す図。
【図７】配線ダクト内の信号線に通信機器が接続された状態を示す図。
【図８】第３の実施形態に係る配線ダクトの断面を示す断面図。
【図９】第４の実施形態に係る配線ダクトの断面を示す断面図。
【図１０】第５の実施形態に係る配線ダクトの断面を示す断面図。
【図１１】同実施形態に係る配線ダクトを示す斜視図。
【図１２】第６の実施形態に係る配線ダクトの断面を示す断面図。
【図１３】同実施形態に係る配線ダクトを示す斜視図。
【図１４】第７の実施形態に係る配線ダクトの断面を示す断面図。
【図１５】同実施形態に係る配線ダクトを示す斜視図。
【発明を実施するための形態】
【００３２】
（第１の実施形態）
本実施形態に係る配線ダクトは、室内のレイアウト変更に応じて天井のレイアウト変更が可能なシステム天井において用いられる。以下、本発明の実施形態について、図面を参照しながら説明する。
【００３３】
図１に示すように、システム天井１は、吊具２により吊り下げられるメインバーである配線ダクト３、配線ダクト３に接続されるクロスバー４、配線ダクト３及びクロスバー４により支持される天井５、及び照明装置６等により構成されており、室内の上方に設けられる天井５及び照明装置６の配置を変更することができる。
【００３４】
吊具２は、建造物に固定されて下方に向けて設けられた吊りボルト、吊りボルトにナットを用いて取り付けられたハンガーにより構成される。吊具２のハンガーにメインバーとしての配線ダクト３が取り付けられることにより、吊具２に配線ダクト３が取り付けられる。
【００３５】
図２に示すように、配線ダクト３は、コア材により形成されたダクト本体３０と、ダクト本体３０に収納される配線支持部材３１，３２及び複数の配線７とを備えたダクトであって、いわゆるＴバーとしての機能を有するダクトである。配線ダクト３のダクト本体３０を吊具２のハンガーに取り付けることにより、吊具２に配線ダクト３が取り付けられる。このようにして、配線ダクト３は室内の上方に設けられて天井５に敷設される。
【００３６】
図３に示すように、ダクト本体３０は、折り曲げられた金属板により形成された長尺中空形状のバーであって、ダクト本体３０の長手方向における端部は開口している。ダクト本体３０は、ダクト本体３０を吊り下げるための吊具２に取り付けられる吊具取付部３０ａと、システム天井１を構成する２つの天井５の間に通して設けられる連結部３０ｂと、連結部３０ｂを介して吊具取付部３０ａに接続されたダクト部３０ｃとを備えている。吊具取付部３０ａ、連結部３０ｂ、及びダクト部３０ｃは、ダクト本体３０を形成するコア材により形成されている。ダクト本体３０を形成するコア材は、鉄やアルミニウム等の金属からなる芯材である。
【００３７】
吊具取付部３０ａは、ダクト本体３０の上部であって、内部に配線７を収納する空間が形成されるようにコア材が折り曲げられて形成されたダクト本体３０の一部である。吊具取付部３０ａは、吊具２に取り付けられることによって天井５の上方に設けられる。吊具取付部３０ａの内部には、配線支持部材３１及び配線７が設けられている。
【００３８】
また、連結部３０ｂは、ダクト本体３０の中間部であって、吊具取付部３０ａとダクト部３０ｃとを連結して接続するダクト本体３０の一部である。本実施形態においては、連結部３０ｂは、吊具取付部３０ａとダクト部３０ｃとを連結して接続するとともに、ダクト本体３０を形成するコア材が平板状となった平板部である。
【００３９】
また、ダクト部３０ｃは、ダクト本体３０の下部であって、内部に配線７を収納する空間と、天井の下方の空間に向けた開口とが形成されるようにコア材が折り曲げられて形成されたダクト本体３０の一部である。従って、ダクト部３０ｃは、天井５の下方の空間に向けて開口しており、ダクト本体３０の長手方向に沿って下方に向けて連続的に開口した開口部３０ｄを有している。連結部３０ｂを介して吊具取付部３０ａに接続されたダクト部３０ｃは、吊具取付部３０ａが吊具２に取り付けられることによって、天井５の下方に埋め込まれるように設けられる。ダクト部３０ｃの内部には、配線支持部材３２及び配線７が設けられている。
【００４０】
また、ダクト部３０ｃの上部には天井５が載置される構成となっている。即ち、ダクト部３０ｃは、天井５を支持する天井支持面３０ｅを有しており、ダクト部３０ｃによりシステム天井１を構成する天井５が支持される。
【００４１】
吊具取付部３０ａに収納された配線支持部材３１は、絶縁性樹脂により形成されており、吊具取付部３０ａの内部において配線７を支持している。また、同様に、ダクト部３０ｃに収納された配線支持部材３２は、絶縁性樹脂により形成されており、ダクト部３０ｃの内部において配線７を支持している。配線支持部材３１，３２は、例えばねじ止めによりダクト本体３０に固定されている。
【００４２】
本実施形態においては、配線７として、電力を伝送するための電力線７１と、信号を伝送するための信号線７２と、接地された接地線７３とがダクト本体３０に収納されている。具体的には、ダクト部３０ｃに、電力線７１及び接地線７３が収納され、吊具取付部３０ａに、信号線７２及び接地線７３が収納されている。
【００４３】
図４に示すように、吊具取付部３０ａの内部に収納された信号線７２は、ケーブル７４を介して通信機器８１に接続され、吊具取付部３０ａの内部に収納された接地線７３と、ダクト部３０ｃの内部に収納された電力線７１及び接地線７３は、ケーブル７４を介して分電盤８２に接続されている。
【００４４】
電力線７１は、ダクト本体３０の長手方向に沿って延設された一対の導体である。本実施形態においては、電力線７１は、配線支持部材３２により支持されてダクト部３０ｃの内部に設けられており、ダクト部３０ｃの内部においてダクト本体３０の長手方向に沿って電力線７１が露出している。電力線７１は分電盤８２内の配線に接続されるため、交流電圧がかかる電極となっている。
【００４５】
また、信号線７２は、ダクト本体３０の長手方向に沿って延設された一対の導体である。本実施形態においては、信号線７２は、配線支持部材３１により支持されて吊具取付部３０ａの内部に設けられており、吊具取付部３０ａの内部においてダクト本体３０の長手方向に沿って信号線７２が露出している。
【００４６】
また、接地線７３は、ダクト本体３０の長手方向に沿って延設された導体である。ケーブル７４を介して分電盤８２に接続された接地線７３は、信号線７２を用いた通信の信号帯域においてダクト本体３０と大地間のインピーダンスが低くなるように、分電盤８２内において接地処理が施されている。本実施形態においては、接地線７３は、吊具取付部３０ａの内部とダクト部３０ｃの内部に設けられており、ダクト本体３０と接地線７３とが接続されてダクト本体３０を形成するコア材が接地されている。従って、接地線７３は、ダクト本体３０を電磁シールドとして機能させるための接地極であり、ダクト本体３０を形成するコア材により、吊具取付部３０ａの内部に収納された配線７と、ダクト部３０ｃの内部に収納された配線７とが互いに電磁的に影響することが抑制される構成となっている。
【００４７】
クロスバー４は、ダクト本体３０と同様に形成された長尺中空形状のバーであって、メインバーとしての配線ダクト３にクロスバー４が接続される。配線ダクト３とクロスバー４とにより、天井５が設けられる四角形の空間が形成される。なお、本実施形態においてはクロスバー４には配線７が収納されていないが、クロスバー４に上記配線ダクト３に準じた構成を適用することにより、クロスバー４を配線ダクトのダクト本体として用いることができる。
【００４８】
天井５は、二重天井を構成する天井部材であって、四角形状の天井板である天井パネルである。ダクト本体３０が吊り下げられてクロスバー４が配線ダクト３に接続された後、配線ダクト３のダクト部３０ｃ及びクロスバー４に天井５を載置することにより、室内の上方に天井５が設けられる。
【００４９】
本実施形態の配線ダクト３によれば、以下のような効果を得ることができる。
（１）ダクト本体３０は、天井５の上方に設けられる吊具取付部３０ａと、吊具取付部３０ａに接続されて天井５の下方に設けられるとともに、天井５の下方の空間に向けて開口するダクト部３０ｃとを備えている。そして、ダクト部３０ｃの内部に、配線７が収納されている。このため、図５に示すように、ダクト部３０ｃの内部に収納される配線７が電力線７１である場合に、天井５の下方の空間である室内に設けられた電気器具９１を、ダクト部３０ｃの開口における所望の位置で電力線７１と接続することが可能となる。また、ダクト本体３０を吊り下げるための吊具２に取り付けられることによって天井５の上方に設けられる吊具取付部３０ａの内部にも、配線７が収納されている。このため、吊具取付部３０ａの内部に収納される配線７が信号線７２である場合は、ダクト本体３０を吊り下げるための吊具２に吊具取付部３０ａが取り付けられることにより、天井５の上方の空間である天井裏において信号線７２を配線ダクト３に沿って敷設することが可能となる。従って、ダクト本体３０を吊り下げて配線ダクト３を室内の上方に敷設することによって、天井５の下方だけでなく天井裏においても配線７を敷設することができる。その結果、室内のレイアウト変更に応じて天井５のレイアウトが変更される場合であっても、天井裏に配線７を容易に敷設することができる。
【００５０】
（２）配線７として、電力を伝送する電力線７１と信号を伝送する信号線７２とを備え、ダクト部３０ｃの内部には、電力線７１が収納されている。このため、天井５の下方の空間である室内に設けられた電気器具９１を、ダクト部３０ｃの開口における所望の位置で電力線７１と接続することができる。
【００５１】
（３）吊具取付部３０ａの内部には、信号線７２が収納されている。このため、ダクト本体３０を吊り下げるための吊具２に吊具取付部３０ａが取り付けられることにより、天井５の上方の空間である天井裏において信号線７２を敷設することができる。
【００５２】
（４）ダクト本体３０を形成するコア材が接地されている。このため、コア材が接地されていない場合に比べて、ダクト本体３０に収納される複数の配線７が互いに電磁的に影響することを抑制することができる。
【００５３】
（５）ダクト部３０ｃによりシステム天井１を構成する天井５が支持されている。このため、本発明の配線ダクト３を、天井５を支持する天井支持部材として用いることができる。その結果、システム天井１に調和した配線ダクト３を構成することが可能となる。
【００５４】
（第２の実施形態）
次に、本発明の第２の実施形態について、図６及び図７を参照しながら説明する。本実施形態に係るシステム天井の構成、ダクト本体の構成等については、上述の第１の実施形態と同様であるため、ここでは詳しい説明を省略する。
【００５５】
本実施形態においては、ダクト部３０ｃに、信号線７２及び接地線７３が収納され、吊具取付部３０ａに、電力線７１及び接地線７３が収納されている。即ち、図６に示すように、ダクト部３０ｃの内部に収納された配線７である信号線７２は、ケーブル７４を介して通信機器８１に接続され、ダクト部３０ｃの内部に収納された接地線７３と、吊具取付部３０ａの内部に収納された配線７である電力線７１及び接地線７３は、ケーブル７４を介して分電盤８２に接続されている。
【００５６】
従って、本実施形態においては、電力線７１は吊具取付部３０ａの内部に設けられ、吊具取付部３０ａの内部においてダクト本体３０の長手方向に沿って電力線７１が露出している構成となっている。また、信号線７２はダクト部３０ｃの内部に設けられ、ダクト部３０ｃの内部においてダクト本体３０の長手方向に沿って信号線７２が露出している構成となっている。
【００５７】
本実施形態の配線ダクト３によれば、上記（１）と同様の効果を得ることができ、また、上記（４）、（５）の効果に加えて、以下のような効果を得ることができる。
（６）ダクト部３０ｃの内部には、信号線７２が収納されている。このため、図７に示すように、天井５の下方の空間である室内に設けられた火災報知器等の通信機器９２を、ダクト部３０ｃの開口における所望の位置で信号線７２と接続することができる。
【００５８】
（７）吊具取付部３０ａの内部には、電力線７１が収納されている。このため、ダクト本体３０を吊り下げるための吊具２に吊具取付部３０ａが取り付けられることにより、天井５の上方の空間である天井裏において電力線７１を敷設することができる。
【００５９】
（第３の実施形態）
次に、本発明の第３の実施形態について、図８を参照しながら説明する。本実施形態に係るシステム天井の構成等については、上述の第１の実施形態と同様であるため、ここでは詳しい説明を省略する。
【００６０】
図８に示すように、本実施形態においては、ダクト本体３０は、ダクト部３０ｃとして、第１の配線収納部３３ａと第２の配線収納部３３ｂとを備えている。第１の配線収納部３３ａ及び第２の配線収納部３３ｂには、それぞれ配線支持部材３２及び配線７が収納されている。
【００６１】
具体的には、本実施形態に係るダクト本体３０のダクト部３０ｃは、内部に配線７を収納する２つの空間が形成されるようにコア材が折り曲げられて形成されている。従って、ダクト本体３０は、ダクト部３０ｃとして、ダクト部３０ｃを形成するコア材により区切られた第１の配線収納部３３ａ及び第２の配線収納部３３ｂを備えている。そして、第１の配線収納部３３ａの内部に電力線７１が収納され、第２の配線収納部３３ｂの内部に信号線７２が収納されている。
【００６２】
また、本実施形態においては、ダクト部３０ｃの内部に収納される電力線７１及び信号線７２とは別の配線である他の電力線７１及び他の信号線７２が、吊具取付部３０ａの内部に配線７として収納されている。即ち、本実施形態においては、ダクト本体３０は、吊具取付部３０ａとして、第３の配線収納部３４ａと第４の配線収納部３４ｂとを備えている。第３の配線収納部３４ａ及び第４の配線収納部３４ｂには、それぞれ配線支持部材３１及び配線７が収納されている。
【００６３】
具体的には、本実施形態に係るダクト本体３０の吊具取付部３０ａは、内部に配線７を収納する２つの空間が形成されるようにコア材が折り曲げられて形成されている。従って、ダクト本体３０は、吊具取付部３０ａとして、吊具取付部３０ａを形成するコア材により区切られた第３の配線収納部３４ａ及び第４の配線収納部３４ｂを備えている。そして、第３の配線収納部３４ａの内部に他の電力線７１が収納され、第４の配線収納部３４ｂの内部に他の信号線７２が収納されている。
【００６４】
本実施形態の配線ダクト３によれば、上記（１）と同様の効果を得ることができ、また、上記（４）、（５）の効果に加えて、以下のような効果を得ることができる。
（８）上記（２）、（６）と同様の効果を得ることができる。即ち、天井５の下方に設けられ、天井５の下方の空間に向けて開口するダクト部３０ｃである第１の配線収納部３３ａの内部には、電力線７１が収納されている。このため、天井５の下方の空間である室内に設けられた電気器具を、第１の配線収納部３３ａの開口における所望の位置で電力線７１と接続することができる。また、天井５の下方に設けられ、天井５の下方の空間に向けて開口する第２の配線収納部３３ｂの内部には、信号線７２が収納されている。このため、天井５の下方の空間である室内に設けられた通信機器を、第２の配線収納部３３ｂの開口における所望の位置で信号線７２と接続することができる。さらに、電力線７１が収納される第１の配線収納部３３ａと、信号線７２が収納される第２の配線収納部３３ｂは、ダクト部３０ｃを形成するコア材により区切られているため、電力線７１及び信号線７２が互いに電磁的に影響することを抑制することができる。
【００６５】
（９）上記（３）、（７）と同様の効果を得ることができる。即ち、天井５の上方に設けられる第３の配線収納部３４ａの内部には、電力線７１が収納されている。このため、ダクト本体３０を吊り下げるための吊具２に吊具取付部３０ａが取り付けられることにより、天井５の上方の空間である天井裏において電力線７１を敷設することができる。また、天井５の上方に設けられる第４の配線収納部３４ｂの内部には、信号線７２が収納されている。このため、ダクト本体３０を吊り下げるための吊具２に吊具取付部３０ａが取り付けられることにより、天井５の上方の空間である天井裏において信号線７２を敷設することができる。さらに、電力線７１が収納される第３の配線収納部３４ａと、信号線７２が収納される第４の配線収納部３４ｂは、吊具取付部３０ａを形成するコア材により区切られているため、電力線７１及び信号線７２が互いに電磁的に影響することを抑制することができる。
【００６６】
（第４の実施形態）
次に、本発明の第４の実施形態について、図９を参照しながら説明する。本実施形態に係るシステム天井の構成等については、上述の第１の実施形態と同様であるため、ここでは詳しい説明を省略する。
【００６７】
図９に示すように、本実施形態においては、天井５の下方の空間に向けて開口するダクト部３０ｃは、側方に向けて開口している。即ち、本実施形態は、第１の実施形態に係るダクト部３０ｃの開口の位置、及びダクト部３０ｃの内部における配線７の位置を変更した形態である。従って、ダクト部３０ｃが有する開口部３０ｄは、側方に向けて開口しており、ダクト部３０ｃに収納された配線７である電力線７１は、上下方向において対向するように配線支持部材３２により支持されている。以上のように構成された配線ダクト３は、壁１０の近傍に設けられる場合に好適に用いることができる。
【００６８】
本実施形態の配線ダクト３によれば、上記（１）、（４）、（５）の効果に加えて、以下のような効果を得ることができる。
（１０）天井５の下方の空間に向けて開口するダクト部３０ｃは、側方に向けて開口している。このため、配線ダクト３が壁１０の近傍に設けられる場合であっても、照明器具等の電気器具を、ダクト部３０ｃに直接取り付けることができる。即ち、ダクト部３０ｃが下方に向けて開口している場合において壁と接触することによりダクト部３０ｃに直接取り付けることができない機器を、ダクト部３０ｃに直接取り付けることができる。
【００６９】
（第５の実施形態）
次に、本発明の第５の実施形態について、図１０及び図１１を参照しながら説明する。本実施形態に係るシステム天井の構成等については、上述の第１の実施形態と同様であるため、ここでは詳しい説明を省略する。
【００７０】
本実施形態においては、吊具取付部３０ａには、ダクト本体３０の長手方向に沿って開口が形成されている。即ち、図１０及び図１１に示すように、本実施形態に係る吊具取付部３０ａは、天井５の上方の空間に向けて開口しており、ダクト本体３０の長手方向に沿って上方に向けて連続的に開口した開口部３０ｆを有している。
【００７１】
本実施形態の配線ダクト３によれば、上記（１）、（４）、（５）の効果に加えて、以下のような効果を得ることができる。
（１１）吊具取付部３０ａには、ダクト本体３０の長手方向に沿った開口が形成されている。このため、吊具取付部３０ａに配線７として信号線７２が収納されている場合には、天井５の近傍に設けられる火災報知器等の通信機器を、天井５の上方の空間である天井裏で、吊具取付部３０ａの開口において信号線７２と接続することが可能となる。また、上記第２の実施形態に記載したように吊具取付部３０ａに配線７として電力線７１が収納されている場合には、天井５の近傍に設けられる空気調和機等の機器を、天井５の上方の空間である天井裏で、吊具取付部３０ａの開口において電力線７１と接続することが可能となる。
【００７２】
（第６の実施形態）
次に、本発明の第６の実施形態について、図１２及び図１３を参照しながら説明する。本実施形態に係るシステム天井の構成等については、上述の第５の実施形態と同様であるため、ここでは詳しい説明を省略する。
【００７３】
図１２及び図１３に示すように、本実施形態においては、吊具取付部３０ａに形成された開口は、上方以外の方向へ向けて開口している。具体的には、吊具取付部３０ａが有する開口部３０ｆが、側方に向けて開口している。
【００７４】
本実施形態の配線ダクト３によれば、上記（１）、（４）、（５）、（１１）の効果に加えて、以下のような効果を得ることができる。
（１２）吊具取付部３０ａに形成された開口は、上方以外の方向へ向けて開口しているため、天井５の上方に設けられる吊具取付部３０ａの内部に、埃が入りにくいようにすることができる。従って、吊具取付部３０ａの内部に埃が溜まりにくいようにすることができる。
【００７５】
（第７の実施形態）
次に、本発明の第７の実施形態について、図１４及び図１５を参照しながら説明する。本実施形態に係るシステム天井の構成等については、上述の第１の実施形態と同様であるため、ここでは詳しい説明を省略する。
【００７６】
本実施形態においては、天井５の下方の空間に向けて開口するダクト部３０ｃの上部には、ダクト本体３０の長手方向に沿って開口が形成されている。即ち、図１４及び図１５に示すように、本実施形態に係るダクト部３０ｃは、天井５の上方の空間に向けて開口しており、ダクト本体３０の長手方向に沿って上方に向けて断続的に開口した開口部３０ｇを有している。
【００７７】
本実施形態の配線ダクト３によれば、上記（１）、（４）、（５）の効果に加えて、以下のような効果を得ることができる。
（１２）ダクト部３０ｃの上部には、ダクト本体３０の長手方向に沿って開口が形成されている。このため、天井５の上方の空間である天井裏から電気器具や通信機器等の機器を、ダクト部３０ｃの内部に収納された配線７に容易に接続することが可能となる。
【００７８】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【００７９】
（その他の実施形態）
・上記各実施形態においては、分電盤８２において接地処理が施された接地線７３により、ダクト本体３０を形成するコア材が接地されていたが、ダクト本体３０に対してその他の接地線（不図示）をねじ止めすることにより、ダクト本体３０を形成するコア材を接地させてもよい。
【００８０】
・ダクト部３０ｃの内部に収納される配線７の個数や、吊具取付部３０ａの内部に収納される配線７の個数を適宜変更してもよい。また、配線ダクト３を構成するダクト本体３０や配線７の形状を変更してもよい。
【００８１】
・上記第５及び第６の実施形態においては、開口部３０ｆは、ダクト本体３０の長手方向に沿って連続的に開口していたが、第７の実施形態に係る開口部３０ｇと同様に、開口部３０ｆが、ダクト本体３０の長手方向に沿って断続的に開口する構成であってもよい。断続的に開口している場合は、連続的に開口している場合に比べて、機械的強度が低下することを抑制することができる。
【００８２】
・上記各実施形態の配線ダクト３の構成を適宜組み合わせてもよい。例えば、第５の実施形態に係る吊具取付部３０ａの構成を第４の実施形態に適用してもよく、第７の実施形態に係るダクト部３０ｃの構成を第３の実施形態に適用してもよい。
【符号の説明】
【００８３】
１…システム天井、２…吊具、３…配線ダクト、４…クロスバー、５…天井、６…照明装置、７…配線、１０…壁、３０…ダクト本体、３０ａ…吊具取付部、３０ｂ…連結部、３０ｃ…ダクト部、３０ｄ…開口部、３０ｅ…天井支持面、３０ｆ，ｇ…開口部、３１，３２…配線支持部材、３３ａ…第１の配線収納部、３３ｂ…第２の配線収納部、３４ａ…第３の配線収納部、３４ｂ…第４の配線収納部、７１…電力線、７２…信号線、７３…接地線、７４…ケーブル、８１…通信機器、８２…分電盤、９１…電気器具、９２…通信機器。
【図１】
2010206879.tif 000003
【図２】
2010206879.tif 000004
【図３】
2010206879.tif 000005
【図４】
2010206879.tif 000006
【図５】
2010206879.tif 000007
【図６】
2010206879.tif 000008
【図７】
2010206879.tif 000009
【図８】
2010206879.tif 000010
【図９】
2010206879.tif 000011
【図１０】
2010206879.tif 000012
【図１１】
2010206879.tif 000013
【図１２】
2010206879.tif 000014
【図１３】
2010206879.tif 000015
【図１４】
2010206879.tif 000016
【図１５】
2010206879.tif 000017